(57)【要約】【課題】  原稿搬送時のジャムをなくすことができる画像読取装置を提供する。【解決手段】  原稿トレイ８にセットされた原稿のサイズに応じて、原稿搬送方向と垂直の方向に原稿押さえ用のガイド部材１０１を自動的に移動調整する。原稿のサイズは原稿サイズセンサ１００によって検知され、原稿のサイズは操作パネルから指定される。【選択図】        図２
2005314091.tif 000002
【特許請求の範囲】
【請求項１】
原稿トレイにセットされた原稿のサイズに応じて、原稿搬送方向と直交する方向に自動的に移動調整可能な原稿押さえ用のガイド部材を上記原稿トレイに備えたことを特徴とする画像読取装置。
【請求項２】
請求項１の画像読取装置において、原稿のサイズは原稿サイズセンサによって検知されることを特徴とする画像読取装置。
【請求項３】
請求項１の画像読取装置において、原稿のサイズは操作パネルから指定されることを特徴とする画像読取装置。
【発明の詳細な説明】
【技術分野】
【０００１】
本発明は、画像形成装置に適用される画像読取装置に関する。
【背景技術】
【０００２】
自動原稿送り装置を画像読取装置本体上に搭載して、原稿を自動的に読取部に搬送し、原稿画像の読み取りを行う方式の画像読取装置においては、自動原稿送り装置の原稿トレイ上にセットされた原稿の幅方向（原稿搬送方向と直交する方向）を規制するためのガイド部材が手動で幅方向に移動可能に設けられている。
【発明の開示】
【発明が解決しようとする課題】
【０００３】
従来は原稿の幅を調整するガイド部材の調整が手動となっているため、ユーザーが、原稿サイズに合わせて正しくガイド部材をセットしない場合にはそれに起因してジャムが発生する場合がある。
本発明は、原稿搬送時のジャムをなくすことができる画像読取装置を提供することを目的とする。
【課題を解決するための手段】
【０００４】
上記目的を達成するために、請求項１記載の発明は、原稿トレイにセットされた原稿のサイズに応じて、原稿搬送方向と垂直の方向に自動的に移動調整可能な原稿押さえ用のガイド部材を上記原稿トレイに備えた画像読取装置を最も主要な特徴とする。
請求項２記載の発明は、請求項１の画像読取装置において、原稿のサイズは原稿サイズセンサによって検知される画像読取装置を主要な特徴とする。
請求項３記載の発明は、請求項１の画像読取装置において、原稿のサイズは操作パネルから指定される画像読取装置を主要な特徴とする。
【発明の効果】
【０００５】
本発明によれば、原稿トレイにセットされた原稿のサイズに応じて、原稿搬送方向と直交する方向に原稿押さえ用のガイド部材を自動的に移動調整することで、原稿に合わせたガイド部材をセットでき、原稿搬送時のジャムをなくすことができる。
【発明を実施するための最良の形態】
【０００６】
以下、図面を参照して、本発明の実施形態を詳細に説明する。
図１は本発明の実施形態に係る画像読取装置の構成図である。ここでは両面同時読み取り方式の画像読取装置を示すが、片面読み取り方式でも差し支えない。以下、その構成を動作と併せて説明する。
原稿台ガラス１上に置かれた原稿は、第１ミラー２と一体に構成された照明ランプ３により照射され、その反射光は、第１ミラー２及び一体に構成された第２ミラー４、第３ミラー５で走査される。その後反射光は、レンズ３１により集束され、ＣＣＤ６に照射され光電変換される。
第１ミラー２、照明ランプ３及び第２ミラー４、第３ミラー５は、走行体モータ７を駆動源として、Ａ方向に移動可能となっている。原稿トレイ８に積載された原稿は、ピックアップローラ９、レジストローラ対１０、搬送ドラム１１、搬送ローラ１２により読取位置Ｂを経て、搬送ローラ対１３及び排紙ローラ対１４へ送り込まれ、排紙トレイ３２上に排出される。
原稿は、読取位置Ｂを通過する際に、読取位置Ｂ近傍に移動されている照明ランプ３により照射され、その反射光は、第１ミラー２及び一体に構成された第２ミラー４、第３ミラー５で反射される。その後反射光は、レンズ３１により集束され、ＣＣＤ６に照射され光電変換される。
ピックアップローラ９、レジストローラ対１０は、給紙モータ（図示せず）により駆動され、搬送ドラム１１、搬送ローラ１２、搬送ローラ対１３、排紙ローラ対１４は、搬送モータ（図示せず）により駆動される。
【０００７】
読取位置Ｃには密着イメージセンサ１５が設置されている。密着イメージセンサ１５は、光源であるＬＥＤ（図示せず）、レンズ（図示せず）、センサ素子（図示せず）で構成されている。
原稿は、搬送ドラム１１下流の読取位置Ｃを通過する際に、読取位置Ｂで読み取られた反対の面（裏面）を読取位置Ｃに設置されている密着イメージセンサ１５内ランプにより照射され、その反射光は密着イメージセンサ１５上レンズにより集束され、密着イメージセンサ１５上センサ素子に照射され光電変換される。
密着イメージセンサ１５の原稿を挟んだ対向部には白色ローラ１７が設置されていて、密着イメージセンサ１５による読取時のシェーディング補正用白色部材として使用される。
搬送ローラ対１３と排紙ローラ対１４の間には、エンドーサユニット１８とエンドーサプラテン１９が設置されている。エンドーサ１８はインクを染み込ませたアルファベット文字と数字の印からなる印字部と、印字部をエンドーサプラテン方向に加圧する加圧ソレノイド（図示せず）から構成されている。原稿をエンドーサ１８上に停止させ、エンドーサプラテン１９で加圧方向に固定し、エンドーサ１８印字部への加圧により原稿面にアルファベット文字や数字を印字することができる。
図２は、原稿トレイ８の上面図である。それぞれ、原稿搬送方向と原稿搬送方向に対して直交する方向を図に示している。図の右下部にあるのが原稿で、その左部に原稿サイズセンサ１００がある。図の原稿の上部にガイド部材１０１があり、矢印ａまたは矢印ｂの方向に自動で移動可能である。ガイド部材１０１は矢印ｂの方向に移動中、原稿などの障害物に接するとガイド部材の原稿側についているガイドセンサ１０２により検知できる。
図３は操作パネルを示す図である。原稿サイズ指定ボタン１０３により、読取り原稿のサイズを指定することができる。
【実施例１】
【０００８】
ガイド部材１０１は、通常状態（原稿がセットされる前や、待機状態など）では、矢印ａ（図１）の方向に最大に開いた状態となっている。ここで、原稿トレイ８にＡ４原稿がセットされた場合、フォトセンサ等から成る原稿サイズセンサ１００でこのＡ４サイズが検知され、このサイズ情報に基づき矢印ｂの方向にガイド部材１０１が移動する。そしてガイドセンサ１０２が原稿端部を検知した時点でガイド部材１０１は移動を停止し、原稿の幅方向端部を規制する。
【実施例２】
【０００９】
ガイド部材１０１は、通常状態（原稿がセットされる前や、待機状態など）では、矢印ａ（図１）の方向に最大に開いた状態にあるとする。ここで、原稿トレイ８にＡ４原稿がセットされた場合、ユーザーは原稿サイズ指定ボタン１０３でこのＡ４サイズを入力する。このサイズ情報に基づき矢印ｂ（図２）の方向にガイド部材１０１が移動する。そしてガイドセンサ１０２が原稿端部を検知した時点でガイド部材１０１は移動を停止し、原稿の幅方向端部を規制する。
【図面の簡単な説明】
【００１０】
【図１】本発明の実施の形態に係る画像読取装置の構成図。
【図２】原稿トレイの上面図。
【図３】操作パネルを示す上面図。
【符号の説明】
【００１１】
８  原稿トレイ
１００  原稿サイズセンサ
１０１  ガイド部材
１０２  ガイドセンサ
【図１】
2005314091.tif 000003
【図２】
2005314091.tif 000004
【図３】
2005314091.tif 000005